【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
投影部材（ＷＳ）に二つの表示像を投影し、互いに異なる位置に結像される二つの前記表示像の虚像を、視認者（Ｄ）から視認可能に表示するヘッドアップディスプレイ装置であって、
二つの前記表示像のうちで前記投影部材に近い位置に近虚像（２９）として結像される近表示像（２８）、を発光表示する第一表示面（２１）と、
二つの前記表示像のうちで前記近虚像よりも前記投影部材から遠い位置に遠虚像（３９）として結像される遠表示像（３８）、を発光表示する第二表示面（３１）と、
前記遠表示像の光の光路に設けられて前記遠表示像の光を反射させる反射面（５１）を有し、前記反射面による光の反射によって前記第二表示面から前記投影部材までの遠光路距離を、前記第一表示面から前記投影部材までの近光路距離よりも長くする延長光学素子（５０）と、を備え、
前記延長光学素子のうちで前記近表示像の光の光路と重なる部分には、前記近表示像の光を透過させる透過部（５５）が形成されているヘッドアップディスプレイ装置。
【請求項２】
前記反射面は、前記透過部の周縁のうちで少なくとも半周以上の範囲に臨んでいる請求項１に記載のヘッドアップディスプレイ装置。
【請求項３】
前記透過部における近赤外光域の光の透過率は、前記透過部における可視光域の光の透過率よりも低く規定されている請求項１又は２に記載のヘッドアップディスプレイ装置。
【請求項４】
投影部材（ＷＳ）に二つの表示像を投影し、互いに異なる位置に結像される二つの前記表示像の虚像を、視認者（Ｄ）から視認可能に表示するヘッドアップディスプレイ装置であって、
二つの前記表示像のうちで前記投影部材に近い位置に近虚像（２９）として結像される近表示像（２８）、を発光表示する第一表示面（２１）と、
二つの前記表示像のうちで前記近虚像よりも前記投影部材から遠い位置に遠虚像（３９）として結像される遠表示像（３８）、を発光表示する第二表示面（３１）と、
前記遠表示像の光の光路に設けられて前記遠表示像の光を反射させる反射面（５１）を有し、前記反射面による光の反射によって前記第二表示面から前記投影部材までの遠光路距離を、前記第一表示面から前記投影部材までの近光路距離よりも長くする延長光学素子（２５０）と、を備え、
前記延長光学素子には、前記近表示像の光を通過させる通過開口（２５５）が形成されているヘッドアップディスプレイ装置。
【請求項５】
前記反射面は、前記通過開口の周縁のうちで少なくとも半周以上の範囲に臨んでいる請求項４に記載のヘッドアップディスプレイ装置。
【請求項６】
前記延長光学素子は、板状に形成されており、
前記延長光学素子において前記通過開口に臨む端面（２５７）は、前記通過開口を広げる方向に傾斜した姿勢に形成されている請求項４又は５に記載のヘッドアップディスプレイ装置。
【請求項７】
前記延長光学素子の両面のうちで、前記反射面が形成される一方をおもて面（５０ｂ）とし、前記近表示像の光が入射する他方を裏面（５０ａ）とすると、
前記端面は、前記延長光学素子の板厚方向（ＴＤ）に沿って前記おもて面から前記裏面へ向かうに従い、前記通過開口を広げる方向に傾斜している請求項６に記載のヘッドアップディスプレイ装置。
【請求項８】
前記近表示像及び前記遠表示像からそれぞれ拡大された前記近虚像及び前記遠虚像が結像されるよう、前記第一表示面及び前記第二表示面から射出される光を広げつつ前記投影部材側へ向けて反射させる拡大光学素子（４０）、をさらに備え、
前記延長光学素子は、前記拡大光学素子よりも前記第一表示面の近くに配置されている請求項１〜７のいずれか一項に記載のヘッドアップディスプレイ装置。
【請求項９】
投影部材（ＷＳ）に二つの表示像を投影し、互いに異なる位置に結像される二つの前記表示像の虚像を、視認者（Ｄ）から視認可能に表示するヘッドアップディスプレイ装置であって、
二つの前記表示像のうちで前記投影部材に近い位置に近虚像（２９）として結像される近表示像（２８）、を発光表示する第一表示面（２１，４２１，５２１）と、
二つの前記表示像のうちで前記近虚像よりも前記投影部材から遠い位置に遠虚像（３９）として結像される遠表示像（３８）、を発光表示する第二表示面（３１）と、
前記遠表示像の光の光路に設けられて前記遠表示像の光を反射させる反射面（５１）を有し、前記反射面による光の反射によって前記第二表示面から前記投影部材までの遠光路距離を、前記第一表示面から前記投影部材までの近光路距離よりも長くする延長光学素子（３５０，４５０）と、
前記第一表示面へ向けて投射した光により前記第一表示面に前記近表示像を描画するプロジェクタ（４２０）と、を備え、
前記第一表示面は、前記延長光学素子と一体的に構成され、前記反射面と並んで配置されているヘッドアップディスプレイ装置。
【請求項１０】
前記反射面は、前記第一表示面の周縁のうちで少なくとも半周以上の範囲に臨んでいる請求項９に記載のヘッドアップディスプレイ装置。
【請求項１１】
前記近表示像及び前記遠表示像からそれぞれ拡大された前記近虚像及び前記遠虚像が結像されるよう、前記第一表示面及び前記第二表示面から射出される光を広げつつ前記投影部材側へ向けて反射させる拡大光学素子（４０）、をさらに備える請求項９又は１０に記載のヘッドアップディスプレイ装置。
【請求項１２】
投影部材（ＷＳ）に二つの表示像を投影し、互いに異なる位置に結像される二つの前記表示像の虚像を、視認者（Ｄ）から視認可能に表示するヘッドアップディスプレイ装置であって、
二つの前記表示像のうちで前記投影部材に近い位置に近虚像（２９）として結像される近表示像（２８）、を発光表示する第一表示面（２１，４２１，５２１）と、
二つの前記表示像のうちで前記近虚像よりも前記投影部材から遠い位置に遠虚像（３９）として結像される遠表示像（３８）、を発光表示する第二表示面（３１）と、
前記遠表示像の光の光路に設けられて前記遠表示像の光を反射させる反射面（５１）を有し、前記反射面による光の反射によって前記第二表示面から前記投影部材までの遠光路距離を、前記第一表示面から前記投影部材までの近光路距離よりも長くする延長光学素子（３５０，４５０）と、
前記近表示像及び前記遠表示像からそれぞれ拡大された前記近虚像及び前記遠虚像が結像されるよう、前記第一表示面及び前記第二表示面から射出される光を広げつつ前記投影部材側へ向けて反射させる拡大光学素子（４０）と、を備え、
前記第一表示面は、前記延長光学素子と一体的に構成され、前記反射面と並んで配置されているヘッドアップディスプレイ装置。
【請求項１３】
前記延長光学素子は、前記第一表示面に前記近表示像を発光表示する画像表示器（２０）と一体的に構成されている請求項１２に記載のヘッドアップディスプレイ装置。
【請求項１４】
前記反射面は、前記第一表示面の周縁のうちで少なくとも半周以上の範囲に臨んでいる請求項１２又は１３に記載のヘッドアップディスプレイ装置。
【請求項１５】
前記拡大光学素子にて、前記近表示像の光が入射する第一入射領域（４２）の少なくとも一部は、前記反射面にて反射された前記遠表示像の光が入射する第二入射領域（４３）の少なくとも一部と重なっている請求項８，１１〜１４のいずれか一項に記載のヘッドアップディスプレイ装置。
【手続補正２】
【補正対象書類名】明細書
【補正対象項目名】００１１
【補正方法】変更
【補正の内容】
【００１１】
また、開示された一つの態様は、投影部材（ＷＳ）に二つの表示像を投影し、互いに異なる位置に結像される二つの表示像の虚像を、視認者（Ｄ）から視認可能に表示するＨＵＤ装置であって、二つの表示像のうちで投影部材に近い位置に近虚像（２９）として結像される近表示像（２８）、を発光表示する第一表示面（２１，４２１，５２１）と、二つの表示像のうちで近虚像よりも投影部材から遠い位置に遠虚像（３９）として結像される遠表示像（３８）、を発光表示する第二表示面（３１）と、遠表示像の光の光路に設けられて遠表示像の光を反射させる反射面（５１）を有し、反射面による光の反射によって第二表示面から投影部材までの遠光路距離を、第一表示面から投影部材までの近光路距離よりも長くする延長光学素子（３５０，４５０）と、第一表示面へ向けて投射した光により第一表示面に近表示像を描画するプロジェクタ（４２０）と、を備え、第一表示面は、延長光学素子と一体的に構成され、反射面と並んで配置されているＨＵＤ装置とされる。
また、開示された一つの態様は、投影部材（ＷＳ）に二つの表示像を投影し、互いに異なる位置に結像される二つの表示像の虚像を、視認者（Ｄ）から視認可能に表示するＨＵＤ装置であって、二つの表示像のうちで投影部材に近い位置に近虚像（２９）として結像される近表示像（２８）、を発光表示する第一表示面（２１，４２１，５２１）と、二つの表示像のうちで近虚像よりも投影部材から遠い位置に遠虚像（３９）として結像される遠表示像（３８）、を発光表示する第二表示面（３１）と、遠表示像の光の光路に設けられて遠表示像の光を反射させる反射面（５１）を有し、反射面による光の反射によって第二表示面から投影部材までの遠光路距離を、第一表示面から投影部材までの近光路距離よりも長くする延長光学素子（３５０，４５０）と、近表示像及び遠表示像からそれぞれ拡大された近虚像及び遠虚像が結像されるよう、第一表示面及び第二表示面から射出される光を広げつつ投影部材側へ向けて反射させる拡大光学素子（４０）と、を備え、第一表示面は、延長光学素子と一体的に構成され、反射面と並んで配置されているＨＵＤ装置とされる。
【手続補正３】
【補正対象書類名】明細書
【補正対象項目名】００１２
【補正方法】変更
【補正の内容】
【００１２】
これらの態様のように、延長光学素子にて反射面と並ぶ位置に第一表示面が配置される構成によっても、二つの表示像の光路を互いに近づけることが可能になる。また、第一表示面とは別に反射面が設けられていれば、反射面の反射率を高めることが容易となる。加えて、遠表示像及び近表示像のそれぞれの光の大部分は、投影部材に投影され得る。